(57)【特許請求の範囲】
【請求項１】
貯蔵タンク内の液体上に浮遊した浮屋根の上面側に揺動可能に支持された状態で斜め上方へ突出し、かつ先端側に設けられてタンク側壁内面に摺動自在に接している屈曲部を有したウエザーフードにより、タンク側壁内面と浮屋根との間の間隙を遮蔽するウエザーシール装置において、
線材又は基端側を除いてスリットを介して複数の片に分割された板材からなる多数の弾性材を使用し所定の厚さとなるよう多重に組み合わせて、少なくとも先端側が線又は片を集めた刷毛状にされ、かつ、後端側が保持具に装着された刷毛型のシール手段と、
前記ウエザーフード側に回動可能に支持されたアーム、及び前記アームが所定角回動されると当接してそれ以上回動されないようにするストッパーと、
前記アームの先端側に連結されると共に、前記シール手段の１以上を着脱可能に保持するホルダーとを有し、
前記シール手段が前記ウエザーフードに前記アーム及び前記ホルダーを介して支持された状態で前記弾性材先端が前記屈曲部の上側からタンク側壁内面に当接することを特徴とするウエザーシール装置。
【請求項２】
前記ホルダーは、前面に突出されてそれぞれ前記シール手段を着脱可能な上下２段の連結部と、後面に突出されて前記アームの先端に着脱可能な連結部と、前後に貫通されて雨水を逃がすための開口とを一体に形成していると共に、下端に固定された雨水回収用の受板を有していることを特徴とする請求項１に記載のウエザーシール装置。
【請求項３】
原油等の液体を貯蔵する略有底円筒形のタンクに用いられて前記タンク内の液体上に浮遊される浮屋根において、前記浮屋根に取り付けられて前記液体上に浮遊された状態で前記浮屋根周囲と前記タンク側壁内面との間に配置されるタンクシールと共に、請求項１又は２に記載のウエザーシール装置を備えた貯蔵タンクの浮屋根。
【発明の詳細な説明】
【技術分野】
【０００１】
本発明は、油等の液体を貯蔵するタンクの浮屋根及びそれに用いられてタンク側壁内面と浮屋根との間の間隙を遮蔽してタンク内への水等の侵入を防ぐためのウエザーシール装置に関する。
【背景技術】
【０００２】
図９（ａ）は特許文献１に開示された石油等を貯蔵する浮屋根式タンクである。この構造では、略有底円筒形のタンクと、タンク内の液体上に浮遊される浮屋根１００と、浮屋根周囲とタンク側壁内面２００ａとの間に配置されたタンクシール１０２と、浮屋根上面側に設置されたウエザーフード１１により側壁内面２００ａと浮屋根１００との間の間隙を遮蔽するウエザーシール装置３とを備えている。
【０００３】
このうち、タンクは鋼板製でその表面にウレタン等の塗装が施されている。浮屋根１００は、本体（デッキ板）と外周囲のポンツーン１０１とから構成され、本体の上面がすり鉢状になっており、タンク内の液体の増減に伴って上下動する。タンク内に入る雨水は、本体中央部に集まり、不図示の排水口、及び排水口とタンク底板側との間に配置された排水管等を通じて外部へ排水される。タンクシール１０２は、ポンツーン１０１の周囲側に取り付けられて側壁内面２００ａとの間の間隙を塞いでいるが、浮屋根１００が振動や強風などの外力によって水平方向に動いたり傾くと側壁内面との間に隙間を生じ、その隙間から液漏れや揮発ガスの漏れ発生、更に外部からゴミや雨水が浸入可能となる。そのような不具合を防ぐため、ウエザーシール装置３は、ウエザーフード１１が浮屋根１００に設置された取付台に対しヒンジ部材１０７を介して回動可能に支持された状態で斜め上方へ突出されると共に、上側に設けられて側壁内面２００ａに摺動自在に接している先端Ｒ部（屈曲部）であるシールガイド１１ｂを有し、該シールガイド１１ｂにより側壁内面２００ａと浮屋根１００との間の間隙を遮蔽する。
【０００４】
以上の構造では、タンクが円筒で側壁内面２００ａが円弧状であるため、その側壁内面に角ないしは板形のシールガイド１１ｂを斜めに覆いかぶせるように当接しても僅かな隙間が発生する。その対策として、この構造では、ウエザーフード１１に支持される弾性シール材である矩形のゴム板２０を有し、ゴム板先端をシールガイド１１ｂの上側から側壁内面に当接している。また、ゴム板２０は、先端が薄く形成され、かつ、バネ板４０で押されるので側壁内面２００ａに対する密着性も付与できる。
【０００５】
他の対策例として、特許文献２の構造では図９（ｂ）に示されるごとく、上記ウエザーフード１１に相当するウエザーシールド４と共に、タンク側壁内面２ａにあってウエザーシールド４より上側に廂状の覆い部材１２を設けたものである。このウエザーシールド４は先端Ｒ部４ｂを一体に形成している。また、この構造では、覆い部材１２が側壁内面２ａに対し磁性シート８及び不図示の樹脂製フィルムを介在させて着脱可能に取り付けられることで、磁性シートが熱により劣化したり溶融し、更に溶融により側壁内面を汚すという不具合を解消している。
【先行技術文献】
【特許文献】
【０００６】
【特許文献１】特開２０１１−９８７６４号公報（図１〜図６）
【特許文献２】特開２００４−２６２５１６号公報（図１と図７）
【発明の概要】
【発明が解決しようとする課題】
【０００７】
上記した従来対策のうち、図９（ａ）の弾性シール材である弾性板（ゴム板）を使用した場合は、板幅がウエザーフードとほぼ同じ幅寸法と広いため、浮屋根の上昇（液体をタンク内に投入する）時にゴム板先端つまり肉厚を薄くした一部がタンク側壁内面にできる凹凸等の段差、あるいは付着物の粘着力などに引っ掛かり、その引っ掛かりに起因して内側に折れ曲がり、更に弾性板の上側が捲き込まれる。この捲き込み現象は、主に、弾性シール材として板幅の広い板材を用いると共に、板先端の肉厚を薄くしたことから、浮屋根が下降するときは追随するが、逆に上昇するときは板先端の一部が引っ掛かると全体を捲き込み易くなる。これは、特に、ウエザーフードの先端Ｒ部（屈曲部）つまりシールガイドの先端より側壁内面へ張り出した弾性板の先端薄肉部にウエザーフードの自重による押し力が分力として作用、更に浮屋根の水平移動による押し力も加算されて、弾性板先端薄肉部の曲げ力として働くためと考えられる。
【０００８】
図９（ｂ）の廂を設けた場合は、まず、タンク内の液体が少なくなると、廂とウエザーシールド（ウエザーフードに相当）の先端Ｒ部との距離が大きくなったり、タンク側壁内面に沿って落ちる雨水が先端Ｒ部に溜まりタンク内にも流れ込み易くなる。また、廂の取付位置を変えるとしても、液面が下がる程、足場の確保が煩雑となり時間と費用がかかる。
【０００９】
そこで、本発明の目的は、以上のような背景から、タンク側壁内面に凹凸や付着物があることを前提とした対策として、タンク側壁内面に対して常に密接して良好なシール効果が得られることに加え、上記した浮屋根の上昇時に一部が捲き込まれたとしても連鎖せず、しかも通常状態に自己復帰し易い構造を実現することにある。
【課題を解決するための手段】
【００１０】
上記目的を達成するため本発明は、図面を参照して特定すると、貯蔵タンク１内の液体上に浮遊した浮屋根２の上面側に揺動可能に支持された状態で斜め上方へ突出し、かつ先端側に設けられてタンク側壁内面１ａに摺動自在に接している屈曲部３３を有したウエザーフード３０により、タンク側壁内面１ａと浮屋根２との間の間隙を遮蔽するウエザーシール装置３において、線材１１又は基端側を除いてスリット１８ｂを介して複数の片１８ａに分割された板材１８からなる多数の弾性材７又は８を使用し所定の厚さとなるよう多重に組み合わせて、少なくとも先端側が線又は片を集めた刷毛状にされ、かつ、後端側が保持具６に装着された刷毛型のシール手段４と、前記ウエザーフード３０側に回動可能に支持されたアーム３９、及び前記アームが所定角回動されると当接してそれ以上回動されないようにするストッパー３７と、前記アーム３９の先端側に連結されると共に、前記シール手段４の１以上を着脱可能に保持するホルダー５とを有し、前記シール手段４が前記ウエザーフード３０に前記アーム３９及び前記ホルダー５を介して支持された状態で前記弾性材先端が前記屈曲部の上側からタンク側壁内面に当接することを特徴としている。なお、以上のウエザーフード３０は、特許文献２のウエザーシールド４と実質的に同じである。屈曲部としては、図２の符号３３ｂや図９（ａ）の符号１１ｂに限られず、図９（ｂ）の符号４ｂの構成でもよい。要は、適度な角度で屈曲されたり円弧状や弧状に屈曲された形状を広く含んでいる。
【００１１】
以上の本発明は、請求項２のごとく展開することがより好ましい。すなわち、前記ホルダー５は、前面に突出されてそれぞれ前記シール手段４を着脱可能な上下２段の連結部１３，１４と、後面に突出されて前記アーム３９の先端に着脱可能な連結部１５と、前後に貫通されて雨水を逃がすための開口５ａ，５ｂとを一体に形成していると共に、下端に固定された雨水回収用の受板９を有している構成である。
【００１２】
一方、請求項３は、以上のウエザーシール装置を含めた浮屋根として特定したもので、原油等の液体を貯蔵する略有底円筒形のタンク１に用いられて前記タンク内の液体上に浮遊される浮屋根２において、前記浮屋根２に取り付けられて前記液体上に浮遊された状態で前記浮屋根周囲と前記タンク側壁内面との間に配置されるタンクシール２５と共に、請求項１又は２に記載のウエザーシール装置３を備えた構成である。
【発明の効果】
【００１３】
請求項１の発明では、シール手段が多数の弾性材を使用し所定の厚さとなるよう多重に組み合わせて、少なくとも先端側を線又は片を集めた刷毛状になっているため、タンク側壁内面が凹凸になっていたり付着物で汚れていても、更に浮屋根が下降したり上昇してもそのタンク側壁内面に常に密接し易く、それにより良好なシール効果を確実に維持できる。詳述すると、本発明のウエザーシール装置は、風雨に伴いタンク側壁内面に吹き付けた雨水が側壁内面に沿って流れてくると、タンク側壁内面に接触している刷毛状の多数の線又は片に沿って流れて、雨水をあたかも茅葺屋根の茅葺きと同様な作用にて側壁内面から離れた方向へ誘導する。これにより、このシール手段は、従来構造に比べて、刷毛型からなるためタンク側壁内面に吹き付けられた雨水をウエザーフードの屈曲部とタンク側壁内面との間に流れることを確実に遮断できる。
【００１４】
また、この発明では、シール手段に用いられる弾性材の具体的構成として、線材、基端側を除いてスリットを介して複数の片に分割された板材のどちらでも茅葺きと同様な作用により雨水の流れ方向をタンク側壁内面から離れる方向へ誘導できる。
【００１５】
また、この発明では、上記のシール手段をホルダーに１つ、２つ、３つと言うように複数取り付けることにより、図２の２段構成から分かるごとく、側壁内面に吹き付けられた雨水がウエザーフードの屈曲部と側壁内面との間に流れる虞をより確実に遮断できる。しかも、この構造では、シール手段がホルダーに対し着脱可能に取り付けられるため交換し易い点でも優れている。
【００１６】
また、この発明では、ウエザーフードに対し回動可能に連結されたアームを有し、ホルダーがそのアームに対し着脱可能に連結されているため、例えばアームの形状を工夫することでタンク側壁内面に対する弾性材先端の当たり角度を最適にしたり、シール手段が側壁内面に自重にて接触状態を保つようにすることができる。
【００１７】
請求項３の発明では、貯蔵タンクに用いられる浮屋根として、請求項１や２の利点を具備でき、それにより貯蔵タンクの信頼性も向上できる。
【図面の簡単な説明】
【００１８】
【図１】（ａ）は第１形態のウエザーシール装置をタンク内から見た状態で示す模式図、（ｂ）は同（ａ）のｂ部拡大図、（ｃ）は同（ａ）のｃ部拡大図である。
【図２】（ａ）は図１（ａ）のＡ方向から見た状態で示す模式図、（ｂ）は同（ａ）のｄ部拡大図、同（ｃ）は（ｂ）の状態で雨に対する遮蔽作用を示す模式図である。
【図３】（ａ）は図２（ａ）の浮屋根の通常状態を示す模式図、（ｂ）は浮屋根が通常状態から図２（ａ）の矢印つまり左方向へ動いた状態を示す模式図である。
【図４】（ａ）〜（ｃ）浮屋根がタンク内への液体投入により上昇する過程での上記ウエザーシール装置の変位を示す模式図である。
【図５】上記記ウエザーシール装置を構成している発明のシール手段を模式的に示し、（ａ）は正面図、（ｂ）は上面図、（ｃ）は背面図、（ｄ）は側面図である。
【図６】（ａ）は上記シール手段とホルダーとの関係を示す模式外観図、（ｂ）はシール手段、ホルダー、アーム、ベースとの関係を示す側面図である。
【図７】上記記ウエザーシール装置を構成している他の発明のシール手段を模式的に示し、（ａ）は正面図、（ｂ）は上面図、（ｃ）は背面図、（ｄ）は側面図である。
【図８】（ａ）は上記シール手段とホルダーとの関係を示す模式外観図、（ｂ）はシール手段、ホルダー、アーム、ベースとの関係を示す側面図である。
【図９】（ａ）は特許文献１のウエザーシール装置を示す模式図、図２は特許文献２のウエザーシール装置を示す模式図である。
【発明を実施するための形態】
【００１９】
以下、本発明を適用した形態例を図面を参照して説明する。この説明では、図１〜図６に示した第１形態と図７及び図８に示した第２形態との共通した基本構造、第１形態の刷毛型シール手段、第２形態の刷毛型シール手段、主な作動の順に詳述する。なお、図面は細部を省略して模式的に示している。                          
【００２０】
（基本構造）図１と図２において、この貯蔵タンク１は、上部を開放された略有底円筒形のタンクであり、タンク１内の液上に浮遊される浮屋根２と、タンク１内の液上に浮遊された状態で浮屋根２の周囲とタンク側壁内面１ａとの間に配置されたタンクシール２５と、浮屋根２の上面側に支持された状態で斜め上方へ突設されて先端側に設けられてタンク側壁内面１ａに摺動自在に接している屈曲部（先端Ｒ部）３３ｂを有したウエザーフード３０、及びウエザーフード３０に支持された状態で斜め上方へ配置されて刷毛状となった先端を側壁内面１ａに当接している刷毛型のシール手段４とからなるウエザーシール装置３とを備えている。
【００２１】
ここで、タンク１は、材質が鋼板製であると共に、表面がウレタン等で塗装処理されている。タンク容量は、例えば、高さが約２０〜２５ｍで内径が７０〜９０ｍというような大容量タイプである。タンク１には、外周付近に設けられた不図示の導入部から原油等の液体が内部に投入されたり、不図示の排出部から排出される。
【００２２】
浮屋根２は、円盤状の本体（デッキ板）と本体外周囲の浮力発生用ポンツーンとから構成されている点、タンク１内に設けられた不図示の上下ガイド手段等を介してタンク１内の液体の増減に伴って上下動する点、タンク上側開口からタンク内に入る雨水が前記本体中央部に集まると共に、不図示の排水口、及びその排水口とタンク底板側との間に配置された排水管等を通じて外部へ排水される点などは従来と同じ。
【００２３】
浮屋根２のポンツーン上面には、取付ブラケット２１と、その内側に設けられた支持具２６とが設けられている。取付ブラケット２１は、ポンツーン外周に沿って突設されており、タンクシール２５が取り付けられる。支持具２６は、図１から推察されるごとく浮屋根２のポンツーン上面にあって、円上に配されるウエザーシール装置３の設置数だけ等間隔に設けられている。そして、各支持具２６は、浮屋根２のポンツーン上面に固定された略Ｕ形基台２７と、基台２７の両側壁にそれぞれボルトＢ等で連結された両側の支持板２８と、支持板２８同士の間に架設された枢軸用のシャフト２９とから構成されている。
【００２４】
タンクシール２５は、ウレタンホーム等のクッション材２３をゴム製のエンベロープ２４で被覆した概略構成である。そして、タンクシール２５は、エンベロープ２４の両端側を浮屋根２のポンツーン上面に設けられた取付ブラケット２１にボルト等の固定具により取り付けられた状態で、浮屋根２の周囲と側壁内面１ａとの間を遮蔽ないしはシールしている。
【００２５】
なお、取付ブラケット２１は、雨水などが浮屋根２の上面からタンクシール２５側へ流されないようにする堤防の機能も兼ねている。タンクシール２５としては、例えば、特開平１１−２５５２９０号公報に開示のようなガスブロックを用いたシール装置、特開２００６−６９６２７号公報に開示のようなフランジ状のシール部、更にシール部と共に浮屋根の上下動を抑制する制動部を設ける構成でも差し支えない。
【００２６】
ウエザーシール装置３は、支持具２６のシャフト２９に回動可能に支持されて、先端側に設けられて側壁内面１ａに摺動自在に接している屈曲部３３ｂを有したウエザーフード３０と、刷毛状の弾性材７又は８を有した刷毛型のシール手段４とを有し、シール手段４がウエザーフード３０に支持された状態で弾性材７又は８の先端が屈曲部３３の上側から側壁内面１ａに当接している。
【００２７】
ウエザーフード３０は、矩形板状であり、静電気発生に起因した火災を防止するため導電性に優れた材料が使用されている。ウエザーフード３０の外面には、左右に並設されるよう上下に延びた対の支持ブラケット３１が設けられている。各支持ブラケット３１は、水平断面Ｌ形であり、水平部３１ａがウエザーフード３０にボルト等で固定され、垂直部３１ｂが下側に連結板３２をボルト等にて固定している。各連結板３２は、図２（ａ）のごとく垂直部３１ｂから突設されていて、その突出部に上記シャフト２９に回動可能に掛け止める引っ掛け用溝３２ａを形成している。
【００２８】
ウエザーフード３０の上側には、屈曲部３３ｂを形成しているシールガイド３３と、後述するシール手段４を構成しているベース３５とが複数のボルトＢにより共締め固定されている。このうち、シールガイド３３は、静電気を発生し難い材質からなり、ウエザーフード３０に重ねられる平板部３３ａと、平板部３３ａの上端に一体化された屈曲部３３ｂとからなる。屈曲部３３ｂは、真鍮等で形成されて、ウエザーフード３０が上記支持具２６のシャフト２９に連結板３２を介して支持された状態で、側壁内面１ａに対して斜めに摺動自在に接するＲ部となっている。
【００２９】
（第１形態の刷毛型シール手段）図５及び図６において、上記シール手段４は、弾性材７として多数の線材１１を使用し所定の厚さとなるよう多重に組み合わせて、少なくとも先端側が線を集めた刷毛状にされ、かつ、後端側が保持具６に装着されている。そして、このシール手段４は、ウエザーフード３０に固定されるベース３５、ベース３５に対し揺動可能に連結されたアーム３９、及びアーム３９に着脱可能に連結されたホルダー５を介して支持されている。なお、図６の弾性材７は多数の線材１１を図示し難いため想像図となっている。
【００３０】
詳述すると、線材１１は、耐油性特殊合成樹脂等で形成され、線径が０．３〜１．５ｍｍ程度の太さとなっている。弾性材７は、この線材１１の多数が刷毛状に集められると共に、後端側が帯１２などで収束された状態で保持具６に装着されている。弾性材７つまり集合された線材１１は、茅葺き作用を発揮できる厚さ及び密度となるよう集められている。その先端は、側壁内面１ａに接触するウエザーフード３０（の屈曲部３３ｂ）の接触角に近い角度に切断（但し、弾性材７の厚みが薄い場合だと特に切断しなくてもよい）されていると共に、図５（ｂ）のごとく保持具６の横幅より外側へ広くした形状となっている。後者の点は、図１（ａ）のごとくウエザーフード３０又はシール手段４同士が隙間なく配置された状態で、弾性材７つまり集合された線材１１同士が互いにＬ部分だけ重なり合うことで雨水が線材同士の隙間から漏れないようにしている。
【００３１】
保持具６は、後側に設けられて対向面に長手方向の爪１６ａを突出している係合溝１６と、前記した凹部１６ｂとを有している。保持具６の幅寸法は、ウエザーフード３０の幅とほぼ同じか、若干小さくなっている。対向面の各爪１６ａは、それぞれ所定間隔を保って並設されている。凹部１６ｂには、弾性材７がその後端部を嵌合した状態で接合一体化されている。
【００３２】
ホルダー５は、略ブロック形であり、前面に突出された上下２段の連結部１３、１４と、後面に突出された連結部１５と、前後を貫通している上下の開口５ａ、５ｂとを一体に形成していると共に、下端に固定された雨水回収用の受板９を有している。すなわち、連結部１３、１４は、上下面に設けられて長手方向に延びた爪１３ａ、１４ａを有している。そして、保持具６は、係合溝１６に対し連結部１３や１４が差し込まれると、爪１３ａや爪１４ａが爪１６ａ同士の間に弾性係合した状態で抜け止めされる。連結部１５は、対向面に長手方向の爪１５ｂを突出している係合溝１５ａを有している。対向面の各爪１５ｂは所定間隔を保って並設されている。開口５ａ、５ｂは図２（ｃ）のごとく雨水を逃がす箇所である。開口５ａは、連結部１５の上面と対応する箇所から連結部１３、１４同士の間に設けられている。開口５ｂは、連結部１５の下面に対応する箇所と受板９との間に設けられている。受板９は先端９ａ側が斜め上向きに折り曲げられている。
【００３３】
以上のホルダー５は、ベース３５に対し回動可能に支持される板状のアーム３９に着脱可能に連結支持される。すなわち、ベース３５は、上述したごとくウエザーフード３０の上側にあって、上面に配置されると共に下面に配置されシールガイドの平板部３３ａとボルトＢにより共締め固定されている。ベース３５の上面には、上両側に溶接固定された取付板３４と、各取付板３４の前側に溶接固定された軸受具３８とが設けられている。各取付板３４には、図１（ｃ）のごとくストッパー３７がボルトＢ等で取り付けられている。各軸受具３８は同軸線上に貫通された軸孔を形成している。
【００３４】
アーム３９は、側面視で略く字形に折り曲げられていると共に、中央部が図２（ｃ）のごとく水を内側より外側へ流すため開口３９ａされている。アーム３９の先端側には、上下面に設けられて長手方向に延びた爪３９ｂを有している。そして、アーム３９は、ホルダーの係合溝１５ａに対しアーム先端が差し込まれると、爪３９ｂが爪１５ａ、１５ｂ同士の間に弾性係合した状態で抜け止めされる。また、アーム３９の下側には、上面縁に沿ってシャフトＳが溶接固定されている。シャフトＳは、両端がアーム３９の対応側面に突出されており、その突出部分が対応する軸受具３８の軸孔に回動可能に嵌合される。シャフトＳには幅決め用カラーが装着されて抜け止め処理される。以上のアーム３９は、図６（ｂ）のごとく軸受具３８に支持されたシャフトＳを介して逆時計回りに所定角回動されると、ストッパー３７に当接されてそれ以上回動されないよう規制される。
【００３５】
（第２形態の刷毛型シール手段）第２形態の刷毛型シール手段は、第１形態の刷毛型シール手段に対し弾性材及びそれと関係する構成が変更されている。このため、この説明では、上記第１形態の刷毛型シール手段と同じか類似する部材に同じ符号を付し、重複記載を避けるため変更点についてだけ詳述する。
【００３６】
図７及び図８において、刷毛型のシール手段４は、弾性材８として、基端側を除いてスリット１８ｂを介して複数の片１８ａに分割された板材１８を使用し、板材１８の多数を所定の厚さとなるよう多重に組み合わせて、少なくとも先端側が片１８ａを集めた刷毛状にされ、かつ、後端側が保持具６に装着されている。なお、図８の弾性材８は多数の板材１８を図示し難いため想像図となっている。
【００３７】
詳述すると、板材１８は、耐油性特殊合成樹脂等で形成され、弾性変位性を損なわない板厚、及び片１８ａの片幅となっている。弾性材８は、この板材１８の多数が刷毛状に集められると共に、後端側が帯１９などで収束された状態で保持具６の凹部１６ｂに嵌合した状態で装着されている。弾性材８つまり集合された板材１８は、茅葺き作用を発揮できる厚さ及び密度となるよう集められている。その先端は、側壁内面１ａに接触するウエザーフード３０（の屈曲部３３ｂ）の接触角に近い角度に切断（但し、弾性材８の厚みが薄い場合だと特に切断しなくてもよい）されている。また、両側は、図７（ａ）のごとく隣接する板材１８同士が噛み合うよう設定されている。これは、図１（ａ）のごとくウエザーフード３０又はシール手段４同士が隙間なく配置された状態で、弾性材８つまり集合された板材１８同士が互いにＬ部分だけ重なり合うことで雨水が板材同士の隙間から漏れないようにしている。勿論、板材１８同士は、上下のスリット１８ｂが重ならないように組み合わせられることが好ましい。なお、試験では、弾性材１８として、ゴム板を用いた場合でスリット１８ｂつまり縦の切り込みが小さいと、ゴム板全体が曲がって、元に戻ったときに重なる現象が発生した。目安としては、板厚にもよるが、板厚７ｍｍで２〜４ｍｍの切り欠きが必要であると思われる。
【００３８】
（作動）次に、以上の刷毛型シール手段４を使用したときの作動特徴について説明する。（ア）図２は浮屋根２がタンク１内の液体に浮遊されている通常状態を示している。この状態では、タンク１内が液体上に浮いている浮屋根２及びタンクシール２５により閉じられていると共に、ウエザーシール装置３により側壁内面１ａと浮屋根２との間の間隙を遮蔽している。すなわち、ウエザーシール装置３の遮蔽作用は、まず、浮屋根２の上面側に支持された状態で斜め上方へ突出し、かつ先端側に設けられて側壁内面１ａに摺動自在に接している屈曲部３３を有したウエザーフード３０により行われる点で従来と同じである。加えて、このウエザーシール装置３では、上記した刷毛型のシール手段４を有し、そのシール手段４がウエザーフード３０にアーム３９及びホルダー５等を介して支持された状態で組み合わされた多数の弾性材７又は８の先端が屈曲部３３の上側から側壁内面１ａに摺動自在に当接している。
【００３９】
（イ）すなわち、刷毛型のシール手段４は、多数の弾性材７又は８を使用し所定の厚さとなるよう多重に組み合わせて、少なくとも先端側を線１１又は片１８ａを集めた刷毛状になっているため、側壁内面１ａが凹凸になっていたり付着物で汚れていても、円弧状の側壁内面１ａに常に密接し易くなる。この点は、特許文献１の単一の弾性板を用いる方法と比較すると明かである。つまり、特許文献１のような一枚の広い弾性板の構成では、弾性板であっても円弧の側壁内面１ａとの間に隙間が生じ易い。これに対し、線１１又は片１８ａの集合した構成では、側壁内面１ａの円弧に馴染み易く、その分だけ側壁内面１ａとの間の隙間が吸収される。
【００４０】
（ウ）図２（ｃ）は、風雨に伴いタンク１の側壁内面１ａに吹き付けた雨水が側壁内面１ａに沿って流れてきたときを想定した図である。刷毛型のシール手段４の場合は、タンクの側壁内面１ａに接触している刷毛状の多数の線１１又は板材１８の片１８ａに沿って流れて、雨水をあたかも茅葺屋根の茅葺きと同様な作用により側壁内面１ａから離れるホルダー５及びアーム３９側へ誘導する。この構造では、雨水が仮に上段のシール手段４の刷毛状の先端を通過しても、下段のシール手段４の刷毛状に沿って流れホルダー５の開口５ａから外部へ誘導される。しかも、雨水が万が一下段のシール手段４の刷毛状を通過しても、受板９に受け止められて外部へ誘導される。
【００４１】
（エ）図３（ａ）は図２と同じく浮屋根２の通常状態を示し、図３（ｂ）は浮屋根２が図２（ａ）の矢印方向に動いた状態を示している。以上のウエザーシール装置３は、浮屋根２がこのように水平方向に動くと、傾斜角度がｄ１からｄ２と大きくなる。つまり、このウエザーシール装置３は、傾斜角度ｄ１のように急な傾斜であると、アーム３９がストッパー３７から離れており、傾斜角度ｄ２のように緩やかになると、アーム３９がストッパー３７に近づき最終的に当接する。この構造では、両者ともホルダー５の重心が軸受具３８より側壁内面１ａ側にくるよう工夫され、それによりシール手段４の刷毛状つまり弾性材７又は８の先端が側壁内面１ａ側に押さえ込まれる。これは、図９（ａ）のごとくバネ板が必須とならないことと、弾性板先端のごとく過大な負荷を受けないようにしている。
【００４２】
（オ）図４はタンク１内に投入される液体で浮屋根２が上昇する過程を模式的に示している。タンク側壁内面１ａには、凹凸や付着物が形成されているものとする。図４（ａ）は、浮屋根２が上昇過程において、凹凸や付着物への引っ掛かりなどで異常な負荷が弾性材７又は８の先端（多数の線１１や片１８ａの一部）にかかってホルダー５が側壁内面１ａ側へ引き寄せられた場合を示している。この構造では、そのような場合でも、受板９が側壁内面１ａに接して捲き込みを防止する。また、図４（ｂ）は、図４（ａ）から更に弾性材７又は８の先端（多数の線１１や片１８ａの一部）が受板９より側壁内面１ａ側に捲き込まれたときを想定した図である。この構造では、弾性材７又は８の先端（多数の線１１や片１８ａの一部）がある程度捲き込まれると、弾性材７又は８が反力（元の形状に戻ろうとする力）を増し、図４（ｃ）の想像線に示したごとく反力で反転しアーム３９がストッパー３７に当たることで回転が止まる。その後、弾性材７又は８は図４（ｃ）の実線に示すごとく初期状態に戻ることになる。
【００４３】
なお、本発明は、請求項で特定される構成を備えておればよく、細部は以上の形態説明を参照して目的に応じて種々変更したり展開可能なものである。その一例として、シール手段４は、ホルダー５に弾性材７や８を１つだけ支持する構成、逆に２以上を支持する構成でもよい。２以上支持する場合は、タイプの同じ弾性材７（８）で構成する以外に、タイプの異なる弾性材７と弾性材８とを組み合わせるようにしてもよい。
【符号の説明】
【００４４】
１…貯蔵タンク（１ａは側壁内面）
２…浮屋根（２１は取付ブラケット、２６は保持具）
３…ウエザーシール装置（３０はウエザーフード、３１は支持ブラケット）
４…シール手段
５…ホルダー（１３から１５は連結板部、５ａと５ｂは開口）
６…保持具（１６は溝部、１６ａは爪）
７…弾性材（１１は線材、１２は基部ないしは固定部）
８…弾性材（１８は板材、１８ａは片部、１８ｂはスリット）
９…受板
２５…タンクシール
３３…シールガイド（３３ａは取付部、３３ｂは屈曲部）
３７…ストッパー
【要約】
【課題】タンク側壁内面に対して常に密接して良好なシール効果が得られれることに加え、浮屋根の上昇時に一部が捲き込まれたとしても連鎖せず、しかも通常状態に自己復帰し易い構造を実現する。
【解決手段】タンク１内の液体上に浮遊した浮屋根２の上面側に支持された状態で斜め上方へ突出し、かつ先端側に設けられてタンク側壁内面に摺動自在に接している屈曲部３３を有したウエザーフード３０により、タンク側壁内面１ａと浮屋根２との間の間隙を遮蔽するウエザーシール装置３において、多数の弾性材７又は８を使用し所定の厚さとなるよう多重に組み合わせて、少なくとも先端側が線又は片を集めた刷毛状にされ、かつ、後端側が保持具に装着された刷毛型のシール手段５を有し、シール手段５がウエザーフード３０に支持された状態で弾性材先端が屈曲部３３の上側からタンク側壁内面１ａに当接することを特徴としている。
【選択図】図２【図１】
0005616480.tif 000002
【図２】
0005616480.tif 000003
【図３】
0005616480.tif 000004
【図４】
0005616480.tif 000005
【図５】
0005616480.tif 000006
【図６】
0005616480.tif 000007
【図７】
0005616480.tif 000008
【図８】
0005616480.tif 000009
【図９】
0005616480.tif 000010